(57)【特許請求の範囲】
【請求項１】
開口部を有する直管と端部にフランジを有する傾斜管から成るストレーナ本体の傾斜管内に円筒状のエレメントスクリーンと掻き取機構を保持部材を介して前記フランジに仮取付し、一方、手動機構を有する蓋体を前記フランジにボルト・ナットで前記保持部材とともに固着すると同時に前記掻き取機構の回動軸と前記手動機構の駆動軸とを連結部材を介して連結し、前記蓋体には、異物を含む液体を排出する排出用バルブを設けたことを特徴とするＹ形ストレーナ。
【請求項２】
前記円盤形状の保持部材は、外周にボルト挿通部を放射方向に多数形成し、かつ外周端の適宜位置に２個以上の仮止め用の折曲片を形成した請求項１に記載のＹ形ストレーナ。
【請求項３】
前記連結部材は、前記回動軸の端部に設けた係合棒と前記駆動軸の端部に設けた略Ｕ字形状の係止部によりなる請求項１又は２に記載のＹ形ストレーナ。
【請求項４】
前記掻き取機構は、エレメントスクリーンの内周に摺接するスクレーパやブラシよりなる請求項１乃至３の何れか１項に記載のＹ形ストレーナ。
【請求項５】
前記エレメントスクリーン内に収納した掻き取機構を保持部材で取付けてスクリ−ンユニットとし、一方、蓋体には、手動ハンドルと逆洗用バルブを設けた蓋ユニットとし、この両ユニットを既存のＹ形ストレーナの傾斜管に順次取付けて固着した請求項１乃至４の何れか１項に記載のＹ形ストレーナの構成部品取付方法。
【請求項６】
既存のＹ形ストレーナ本体の傾斜管のフランジにボルトを予め取付けておき、次いで、前記スクリーンユニットを前記保持部材を介して仮取付し、その後、ガスケットを介して前記蓋ユニットを前記フランジに保持部材を介して前記ボルト・ナットで締付け固定した請求項５に記載のＹ形ストレーナの構成部品取付方法。
【発明の詳細な説明】
【技術分野】
【０００１】
本発明は、異物、スラッジ（夾雑物）等を含んだ原水を濾過して、異物等を外部へ取り出すためのストレーナで、例えば、２５０Ａ等の口径を有するＹ形ストレーナに関し、発電、製鉄プラント、海水、工業用水等の水用、或いは製油所等のプロセスラインや化学プラント等のプロセスライン等に好適で、掻き取機構を装着可能な装着構造を有するＹ形ストレーナとＹ形ストレーナの構成部品取付方法に関する。
【背景技術】
【０００２】
一般に、この種のパイプラインでは、液体中に含まれる異物等を除去し、液体を濾過する目的でストレーナが設けられている。ストレーナは、液体が流れるストレーナ本体内に濾過用エレメントを設け、この濾過用エレメントが、液体の通過を許容するとともに、液体中の異物等を捕捉する構成であり、ストレーナの下流側には異物等が除去され、濾過された液体が供給される。
【０００３】
このため、ストレーナ本体内の濾過用エレメントには異物等が付着し、そのままにしておくと圧力損失が大きくなり、所要の流量が得られなくなる。この様な事態を防止するためには、濾過用エレメントに付着している異物等を除去し、濾過用エレメントの濾過能力を維持する必要がある。
【０００４】
この種の洗浄装置を備えたＹ形ストレーナには、特許文献１が知られている。すなわち、この特許文献１は、傾斜管部に洗浄装置を取り付ける場合、蓋部材にスクリーンとブラシ部材を固定した洗浄装置を傾斜管部に挿入して、傾斜管部のフランジと蓋部材とをボルトで固着したストレーナである。
【０００５】
このストレーナは、ブラシを回転軸の周面から半径方向に突出する案内軸に進退自在に支持し、案内軸とブラシとの間に装着されたバネによってスクリーンの内周にブラシを接触するようにしたものである。また、その他のストレーナにおいて、通常の掻き取装置をスクリーン内に取り付けるには、掻き取装置の座を溶接する必要があった。
【先行技術文献】
【特許文献】
【０００６】
【特許文献１】実用新案登録第３０７３８０４号公報
【発明の概要】
【発明が解決しようとする課題】
【０００７】
しかしながら、特許文献１に示すストレーナは、ハンドルを有するブラシ部材とスクリーンを固定した蓋部材を一体化しているので、特許文献１のように小口径のストレーナでは、適用できても、２５０Ａなどの中口径から大口径のストレーナに用いる場合は、ブラシ部材等の一体化したセットを装着しなければならず、装着作業が困難であるばかりでなく、傾斜管部の管端と接地面との間隙が少ない場合は、装着することも不可能となり、結果的に、中口径から大口径のストレーナには、用いることはできない。
【０００８】
また、高圧の液体濾過に用いる場合は、密封性も要求されるので、特許文献１を高圧のストレーナに用いるのは、高圧対応の密封処理も必要であり、しかも、特許文献１には、既設のストレーナにそのままブラシ機構を着脱する技術事項も開示及至示唆されていない。
【０００９】
上記のように装着した蓋部材を傾斜管部から取り外す場合は、蓋部材とフランジとのボルトを外し、ハンドルとブラシ部材が一体化したセットを同時に傾斜管部から抜き出す必要があり、極めて困難な作業を強いられることになる。
【００１０】
更には、引用文献１には、ブラシ部材の回転軸とこの回転軸を外部に突出させて外端部にハンドルを一体に設けているので、既設のストレーナ本体にブラシ機構などを着脱するための技術思想は開示されていない。
【００１１】
本発明は、上記の課題点を解決するために開発したものであり、その目的とするところは、既設のストレーナのボデーに掻き取機構と手動機構を容易にかつ確実に着脱することができ、傾斜筒部の管端と接地面との間隔が少なくてもボデーに掻き取機構と手動機構を着脱することが可能であり、中口径から大口径のストレーナで、しかも高圧の液体処理のストレーナに適用することが可能であるＹ形ストレーナとＹ形ストレーナの構成部品取付方法を提供することにある。
【課題を解決するための手段】
【００１２】
上記の目的を達成するため、請求項１に係る発明は、開口部を有する直管と端部にフランジを有する傾斜管から成るストレーナ本体の傾斜管内に円筒状のエレメントスクリーンと掻き取機構を保持部材を介して前記フランジに仮取付し、一方、手動機構を有する蓋体を前記フランジにボルト・ナットで前記保持部材とともに固着すると同時に前記掻き取機構の回動軸と前記手動機構の駆動軸とを連結部材を介して連結し、前記蓋体には、異物を含む液体を排出する排出用バルブを設けたＹ形ストレーナである。
【００１３】
請求項２に係る発明は、前記円盤状の保持部材は、外周にボルト挿通部を放射方向に多数形成し、かつ外周端の適宜位置に２個以上の仮止め用の折曲片を形成したＹ形ストレーナである。
【００１４】
請求項３に係る発明は、前記連結部材は、前記回動軸の端部に設けた係合棒と前記駆動軸の端部に設けた略Ｕ字形状の係止部によりなるＹ形ストレーナストレーナである。
【００１５】
請求項４に係る発明は、前記掻き取機構は、エレメントスクリーンの内周に摺接するスクレーパやブラシよりなるＹ形ストレーナである。
【００１６】
請求項５に係る発明は、前記エレメントスクリーン内に収納した掻き取機構を保持部材で取付けてスクリ−ンユニットとし、一方、蓋体には、手動ハンドルと逆洗用バルブを設けた蓋ユニットとし、この両ユニットを既存のＹ形ストレーナの傾斜管に順次装着して固着したＹ形ストレーナの構成部品取付方法である。
【００１７】
請求項６に係る発明は、既存のＹ形ストレーナ本体の傾斜管のフランジにボルトを予め取付けておき、次いで、前記スクリーンユニットを前記保持部材を介して仮取付し、その後、ガスケットを介して前記蓋ユニットを前記フランジに保持部材を介して前記ボルト・ナットで締付け固定したＹ形ストレーナの構成部品取付方法である。
【発明の効果】
【００１８】
請求項１に係る発明によると、既存のストレート本体内にスクリーンユニットと蓋ユニットを簡単にかつ確実に取付けることができ、中口径以上のストレーナ本体を配管ラインに配置したままの状態で、掻き取機構等の構成部品を取り付けることができ、よって、本発明におけるＹ形ストレーナの経済性とその作業性の価値は、著しく高い。
【００１９】
請求項２に係る発明によると、保持部材を用いることによって、スクリーンユニットを仮止め状態にして保持させた後に蓋ユニットを簡単に装着することが可能となる。
【００２０】
請求項３に係る発明によると、スクリーンユニットと蓋ユニットを装着するだけで、回動軸と駆動軸が確実に連結され、その作業性は極めて良好である。
【００２１】
請求項４に係る発明によると、スクレーパやブラシでエレメントスクリーンの内周側に付着している異物等を確実に掻き取って外部へ排出することができる。
【００２２】
請求項５に係る発明によると、既存のストレーナ本体にスクリーンユニットに保持部材を介して蓋ユニットを順次取付けることが可能となり、従来のように、掻き取装置の座を溶接することなく、スムーズに掻き取機構等の構成部品を取り付けることができる。
【００２３】
請求項６に係る発明によると、ストレーナ本体の傾斜管の端部と接地面との間隔に余裕がなくても、保持部材を設けることによって、構成部品を容易に取付けることが可能となり、しかも、既存のストレーナ本体を用いることにより、掻き取機構等の構成部品を装着して、エレメントスクリーンの目詰まりを解消することができ、長期にわたって使用することができる。
【図面の簡単な説明】
【００２４】
【図１】本発明におけるＹ形ストレーナの一実施形態を示す断面図である。
【図２】本発明におけるＹ形ストレーナの他の実施形態を示す断面図である。
【図３】既存のＹ形ストレーナのボデーを示す断面図である。
【図４】図１のスクリーンユニットを示した拡大断面図である。
【図５】図１の蓋ユニットを示した部分拡大図である。
【図６】図１の保持部材を示す拡大平面図である。
【図７】図のＡ−Ａ線断面図である。
【図８】ストレーナの他の例を示した断面図である。
【発明を実施するための形態】
【００２５】
以下に、本発明におけるＹ形ストレーナの実施形態を図面に基づいて詳細に説明する。
図１は本発明におけるＹ形ストレーナの一実施形態を示す断面図であり、図２は本発明におけるＹ形ストレーナの他の実施形態を示す断面図である。また、図３は既存のＹ形ストレーナの断面図であり、図１と図２に示す各ユニットを取付ける前の状態を示す断面図である。
【００２６】
図３におけるストレーナ本体１は、パイプ状の直管２と端部にボルト挿通部３ａを有するフランジ３を設けたパイプ状の傾斜管４から成り、直管２の内部に設けた傾斜状の仕切壁５ａに開口部５を形成している。直管２の両端に設けたフランジ２ａ，２ａで配管６に接続している。このストレーナ本体１は、既存のものであり、後述するユニット構成部品をストレーナ本体１内に装着するように構成している。
【００２７】
図４において、円筒状のエレメントスクリーン７は、側面をメッシュ状、パンチング状、網目状にして濾過機能を有するように設け、上下の端部に開口部７ｃを有する取付片７ｄを設け、かつ上部外周に取付リング７ａを設け、下部外周に取付部７ｂを取付片７ｅを設けている。
【００２８】
また、掻き取機構８は、エレメントスクリーン７の内周に摺接するスクレーパ・ブラシ９を有し、回転軸１０の回転によってスクレーパ・ブラシ９を回転するようにしている。回動軸１０の端部には、後述する連結部材１１の一次側を成す係合棒１２を設けている。更に、取付部７ｂにガスケット１３を介して、後述する保持部材１４を取付けてスクリーンユニット１５を構成している。
【００２９】
図６、図７において、保持部材１４は、円盤状であり、外周に放射方向に多数の溝状のボルト挿通部１６と取手１６ａを設け、中央位置に円筒部１７を設け、この円筒部１７の上端に取付部１７ａと開口部１７ｂを形成し、外周端の適宜位置に、２個又は３個の仮止め用の折曲片１８を形成し、折曲片１８には穴１８ａを形成している。エレメントスクリーン７の取付部７ｂと取付部１７ａとをボルト１７ｃで接続してエレメントスクリーン７と保持部材１４を固着している。
【００３０】
図５において、蓋ユニット１９は、ボルト挿通部２０ａを有する蓋体２０に手動ハンドル２１ａ，２１ｂを有する駆動軸２２の端部に略Ｕ字形状の係止部２３を設け、この係止部２３と係合棒１２とを係合させて連結部材１１を構成している。また、蓋体２０には、排出管２４を設け、この排出管２４に逆洗用バルブ２５を設けている。図１に示す手動ハンドル２１ａはレバー形式で、図２に示す手動ハンドル２１ｂは丸形ハンドルである。
【００３１】
図１に示す既存のストレーナ本体１のボルト挿通部３ａにボルト２６を予め挿入しておき、この状態でエレメントスクリーン７内にスクリーンユニット１５を装着し、折曲片１８の穴１８ａにボルト１８ｂを装着してストレーナ本体１のフランジ２ａにボルト１８ｂを係合させてスクリーンユニット１５を仮取付けしている。その後、ガスケット１３を介して蓋ユニット１９をフランジ３に保持部材１４をボルト２６とナット２７で締付け固定して図１又は図２に示す状態にする。なお、図中２８はガスケット、２９は蓋体２０に設けるガスケット２９ａは、保持部材１４とフランジ３との間に設けるガスケットである。
【００３２】
次に、本発明における実施形態の作用を説明する。図３に示すように、既存のストレーナ本体１の傾斜管４にエレメントスクリーン７と蓋体２０を取付ける場合、まず、ボルト２６をボルト挿通部３ａに予め取付けておき、次いで、図４に示すスクリーンユニット１５を傾斜管４内の開口部５にガスケット２８を介して挿入して仮取付する。このスクリーンユニット１５は、事前にユニット化しておく。この場合、スクリーンユニット１５は、エレメントスクリーン７内にスクレーパ・ブラシを有する掻き取機構８を挿入し、保持部材１４の取付部１７ａとボルト１７ｃを介して取付片７ｄとを連結して構成する。このスクリーンユニット１５は、多数のボルト２６のねじ部と２個の折曲片１８の穴１８ａにボルト１８ｂを介してフランジ３の上面に仮止めすることによって仮取付けされる。
【００３３】
次いで、図５に示す蓋ユニット１９をストレーナ本体１のフランジ３に取付ける場合、蓋ユニット１９を事前にユニット化しておく。即ち、図５において、蓋体２０に手動ハンドル２１ａ又は手動ハンドル２１ｂを取付け、駆動軸２２の端部に略Ｕ字形の係止部２３を取付け、更に、排出管２４の端部に排出用バルブ２５を設けて構成する。
【００３４】
この蓋ユニット１９にガスケット２９を介して保持部材１４に当接させた状態で、予め取付けたボルト２６を蓋体２０のボルト挿通部２０ａに挿通させたナットでボルト２６を締め付け固定することによって密封状態で蓋ユニット１９を固定することによって図１又は図２に示す状態にすることができる。
【００３５】
この状態で、通水後差圧が、例えば０．０６ＭＰａとなったとき、手動ハンドル２１ａ，２１ｂを適宜回動し、かつ、排出用バルブ２５を開ける。差圧が下がったら、ハンドル２１ａ，２１ｂを回すことを止め、排出用バルブ２５を閉じる。これを繰り返すことによって差圧が下がるが、下がらないときは、開放点検を行い、適宜清掃する。
【００３６】
図８は、他の例を示したストレーナであり、既存のストレーナ本体３０にスクリーンユニット３１と蓋ユニット３２を設けたものである。このスクリーンユニット３１や蓋ユニット３２の接液部構成部品をＰＶＣ，ＰＴＦＥ，ＥＴＦＥその他のＦＲＰ等の樹脂製とすることにより、腐食性のある流体（塩酸・次亜塩素酸ソーダ・硫化水素等）内のゴミをカバーをあけないで連続運転ができると共に、金属に比して１／５以下の重量となり、操作性が良好となる。
【符号の説明】
【００３７】
１  ストレーナ本体
３  フランジ
４  傾斜管
７  エレメントスクリーン
８  掻き取機構
９  スクレーパ・ブラシ
１０  回動軸
１１  連結部材
１４  保持部材
１５  スクリーンユニット
１８  折曲片
１９  蓋ユニット
２２  駆動軸
２５  排出用バルブ
２６  ボルト
２７  ナット
【図１】
0005357842.tif 000002
【図２】
0005357842.tif 000003
【図３】
0005357842.tif 000004
【図４】
0005357842.tif 000005
【図５】
0005357842.tif 000006
【図６】
0005357842.tif 000007
【図７】
0005357842.tif 000008
【図８】
0005357842.tif 000009